(57)【要約】【課題】貯湯タンク１と、ヒートポンプユニット２と、タンク水をヒートポンプユニットで加熱するタンク水加熱回路３と、給水路４と、給湯路５と、給湯路に介設された液々熱交換器６と、バーナ７１で加熱される熱交換器７と、熱交換器と液々熱交換器との間で熱媒体を循環可能な熱媒循環回路８と、熱媒循環回路に接続可能な暖房端末９とを備えるハイブリッド式給湯暖房システムであって、ヒートポンプユニットを熱源とする暖房運転をヒートポンプユニットの放熱器に熱媒加熱部を付設せずに実行可能とする。【解決手段】給水路４と液々熱交換器６の下流側の給湯路５の部分とを接続可能なバイパス路４１を備える。タンク水を液々熱交換器６が介設された給湯路５の上流側部分とバイパス路４１と給水路４とタンク水加熱回路３とを介して循環させて加熱し、液々熱交換器で加熱された熱媒体を暖房端末９に流して、ヒートポンプユニットを熱源とする暖房運転を行う。【選択図】図２
2020180712.tif 000002
【特許請求の範囲】
【請求項１】
貯湯タンクと、ヒートポンプユニットと、貯湯タンクの底部から頂部にヒートポンプユニットの放熱器を介してタンク水を循環可能なタンク水加熱回路と、貯湯タンクの底部に水を供給可能な給水路と、貯湯タンクの頂部から給湯端末に温水を供給可能な給湯路と、給湯路に介設された液々熱交換器と、バーナで加熱される熱交換器と、熱交換器と液々熱交換器との間で熱媒体を循環可能な熱媒循環回路と、熱媒循環回路に接続可能な暖房端末とを備えるハイブリッド式給湯暖房システムであって、
ヒートポンプユニットの放熱器でタンク水を加熱しつつ、貯湯タンクの底部から頂部にタンク水加熱回路を介してタンク水を循環させる、ヒートポンプユニットを熱源とするタンク水加熱運転と、貯湯タンクの頂部から送り出される温水を給湯路を介して給湯端末に供給する、タンク利用の給湯運転と、バーナにより熱交換器で熱媒体を加熱しつつ、熱交換器と液々熱交換器との間で熱媒循環回路を介して熱媒体を循環させ、貯湯タンクの頂部から送り出される温水を液々熱交換器で熱媒体により加熱した状態で給湯路を介して給湯端末に供給する、バーナを補助熱源とする給湯運転と、バーナにより熱交換器で熱媒体を加熱しつつ、熱交換器と暖房端末との間で熱媒体を循環させる、バーナを熱源とする暖房運転とを実行可能としたものにおいて、
給水路と液々熱交換器の下流側の給湯路の部分とを接続可能なバイパス路を備え、
液々熱交換器とヒートポンプユニットの放熱器との間でタンク水を液々熱交換器が介設された給湯路の上流側部分とバイパス路と給水路とタンク水加熱回路とを介して循環させ、放熱器でタンク水を加熱すると共に液々熱交換器でタンク水により熱媒体を加熱しつつ、液々熱交換器と暖房端末との間で熱媒体を循環させる、ヒートポンプユニットを熱源とする暖房運転を実行可能としたことを特徴とするハイブリッド式給湯暖房システム。
【請求項２】
バーナを熱源とする暖房運転の実行時は、熱媒循環回路に介設した熱媒循環ポンプの作動により熱交換器と暖房端末との間で液々熱交換器を経由せずに熱媒体を循環させ、ヒートポンプユニットを熱源とする暖房運転の実行時は、熱媒循環ポンプの作動により液々熱交換器と暖房端末との間で熱媒体を循環させることを特徴とする請求項１記載のハイブリッド式給湯暖房システム。
【請求項３】
熱媒循環回路に、熱交換器を経由せずに熱媒体を流すことが可能な熱媒バイパス路が設けられ、ヒートポンプユニットを熱源とする暖房運転の実行時は、液々熱交換器と暖房端末との間で熱媒バイパス路を介して熱媒体を循環させることを特徴とする請求項２記載のハイブリッド式給湯暖房システム。
【請求項４】
タンク水加熱回路の下流端を貯湯タンクの頂部と給湯路の液々熱交換器より上流側の部分とに選択的に接続可能とし、ヒートポンプユニットを熱源とする暖房運転の実行時は、タンク水加熱回路の下流端を給湯路の液々熱交換器より上流側の部分に接続することを特徴とする請求項１〜３の何れか１項記載のハイブリッド式給湯暖房システム。
【請求項５】
請求項４記載のハイブリッド式給湯暖房システムであって、ヒートポンプユニットを熱源とする暖房運転の実行時は、ヒートポンプユニットを熱源とするタンク水加熱運転の実行時よりも放熱器によるタンク水の加熱温度を高くすることを特徴とするハイブリッド式給湯暖房システム。
【請求項６】
ヒートポンプユニットの除霜運転を実行可能とし、除霜運転の実行時は、、バーナにより熱交換器で熱媒体を加熱しつつ、熱交換器と液々熱交換器との間で熱媒循環回路を介して熱媒体を循環させると共に、液々熱交換器でタンク水を加熱しつつ、液々熱交換器とヒートポンプユニットの放熱器との間でタンク水を液々熱交換器が介設された給湯路の上流側部分とバイパス路と給水路とタンク水加熱回路とを介して循環させることを特徴とする請求項１〜５の何れか１項記載のハイブリッド式給湯暖房システム。
【請求項７】
請求項６記載のハイブリッド式給湯暖房システムであって、除霜運転の実行時に、熱媒体の一部を暖房端末に流して、暖房運転を併行して実行可能とすることを特徴とするハイブリッド式給湯暖房システム。
【発明の詳細な説明】
【技術分野】
【０００１】
本発明は、貯湯タンクと、ヒートポンプユニットと、貯湯タンクの底部から頂部にヒートポンプユニットの放熱器を介してタンク水を循環可能なタンク水加熱回路と、貯湯タンクの底部に水を供給可能な給水路と、貯湯タンクの頂部から給湯端末に温水を供給可能な給湯路と、バーナで加熱される熱交換器と、暖房端末とを備えるハイブリッド式給湯暖房システムに関する。
【背景技術】
【０００２】
従来、この種のハイブリッド式給湯暖房システムにおいて、バーナで加熱される熱交換器として、暖房端末との間で熱媒体を循環させる暖房用熱交換器と、給湯路に介設される給湯用熱交換器とを設けると共に、放熱器に、タンク水加熱回路に流れるタンク水を加熱するタンク水加熱部に加えて、熱媒体を加熱する熱媒加熱部を付設したものが知られている（例えば、特許文献１参照）。このものでは、ヒートポンプユニットの放熱器のタンク水加熱部でタンク水を加熱しつつ、貯湯タンクの底部から頂部にタンク水加熱回路を介してタンク水を循環させる、ヒートポンプユニットを熱源とするタンク水加熱運転と、貯湯タンクの頂部から送り出される温水を給湯路を介して給湯端末に供給する、タンク利用の給湯運転と、貯湯タンクの頂部から送り出される温水をバーナにより給湯用熱交換器で加熱した状態で給湯路を介して給湯端末に供給する、バーナを補助熱源とする給湯運転と、バーナにより暖房用熱交換器で熱媒体を加熱しつつ、暖房用熱交換器と暖房端末との間で熱媒体を循環させる、バーナを熱源とする暖房運転と、ヒートポンプユニットの放熱器の熱媒加熱部で熱媒体を加熱しつつ、熱媒加熱部と暖房端末との間で熱媒体を循環させる、ヒートポンプユニットを熱源とする暖房運転とが実行可能である。
【０００３】
然し、上記従来例では、バーナで加熱される熱交換器として暖房用と給湯用の２個の熱交換器を設け、更に、放熱器に熱媒加熱部を付設する必要があり、コストが高くなる不具合がある。
【０００４】
また、ハイブリッド式給湯暖房システムではないが、バーナで加熱される熱交換器を暖房用と給湯用の両者に兼用できるようにしたものも知られている。このものでは、給湯路に介設された液々熱交換器と、液々熱交換器とバーナで加熱される熱交換器との間で熱媒体を循環可能な熱媒循環回路と、熱媒循環回路に接続可能な暖房端末とを備えている（例えば、特許文献２参照）。そして、バーナにより熱交換器で熱媒体を加熱しつつ、熱交換器と液々熱交換器との間で熱媒循環回路を介して熱媒体を循環させ、液々熱交換器で熱媒体により加熱された温水を給湯路を介して給湯端末に供給する、バーナを熱源とする給湯運転と、バーナにより熱交換器で熱媒体を加熱しつつ、熱交換器と暖房端末との間で熱媒体を循環させる、バーナを熱源とする暖房運転とを実行可能としている。
【０００５】
この技術をハイブリッド式給湯暖房システムに適用し、バーナで加熱される単一の熱交換器を暖房用と給湯用の両者に兼用できるようにすることが考えられる。然し、このものでも、ヒートポンプユニットを熱源とする暖房運転を実行可能とするためには、ヒートポンプユニットの放熱器にタンク水加熱部に加えて熱媒加熱部を付設することが必要になり、コストダウンを図る上で障害になる。
【先行技術文献】
【特許文献】
【０００６】
【特許文献１】特開２０１７−８３１０８号公報
【特許文献２】特開２００３−１３０４４８号公報
【発明の概要】
【発明が解決しようとする課題】
【０００７】
本発明は、以上の点に鑑み、ヒートポンプユニットを熱源とする暖房運転をヒートポンプユニットの放熱器に熱媒加熱部を付設せずに実行可能として、コストダウンを図ることができるようにしたハイブリッド式給湯暖房システムを提供することをその課題としている。
【課題を解決するための手段】
【０００８】
上記課題を解決するために、本発明は、貯湯タンクと、ヒートポンプユニットと、貯湯タンクの底部から頂部にヒートポンプユニットの放熱器を介してタンク水を循環可能なタンク水加熱回路と、貯湯タンクの底部に水を供給可能な給水路と、貯湯タンクの頂部から給湯端末に温水を供給可能な給湯路と、給湯路に介設された液々熱交換器と、バーナで加熱される熱交換器と、熱交換器と液々熱交換器との間で熱媒体を循環可能な熱媒循環回路と、熱媒循環回路に接続可能な暖房端末とを備えるハイブリッド式給湯暖房システムであって、ヒートポンプユニットの放熱器でタンク水を加熱しつつ、貯湯タンクの底部から頂部にタンク水加熱回路を介してタンク水を循環させる、ヒートポンプユニットを熱源とするタンク水加熱運転と、貯湯タンクの頂部から送り出される温水を給湯路を介して給湯端末に供給する、タンク利用の給湯運転と、バーナにより熱交換器で熱媒体を加熱しつつ、熱交換器と液々熱交換器との間で熱媒循環回路を介して熱媒体を循環させ、貯湯タンクの頂部から送り出される温水を液々熱交換器で熱媒体により加熱した状態で給湯路を介して給湯端末に供給する、バーナを補助熱源とする給湯運転と、バーナにより熱交換器で熱媒体を加熱しつつ、熱交換器と暖房端末との間で熱媒体を循環させる、バーナを熱源とする暖房運転とを実行可能としたものにおいて、給水路と液々熱交換器の下流側の給湯路の部分とを接続可能なバイパス路を備え、液々熱交換器とヒートポンプユニットの放熱器との間でタンク水を液々熱交換器が介設された給湯路の上流側部分とバイパス路と給水路とタンク水加熱回路とを介して循環させ、放熱器でタンク水を加熱すると共に液々熱交換器でタンク水により熱媒体を加熱しつつ、液々熱交換器と暖房端末との間で熱媒体を循環させる、ヒートポンプユニットを熱源とする暖房運転を実行可能としたことを特徴とする。
【０００９】
本発明によれば、ヒートポンプユニットの放熱器で加熱されたタンク水により液々熱交換器で熱媒体を加熱することにより、ヒートポンプユニットを熱源とする暖房運転を実行することができる。従って、ヒートポンプユニットを熱源とする暖房運転を実行するために、ヒートポンプユニットの放熱器に熱媒加熱部を付設する必要がなく、コストダウンを図ることができる。
【００１０】
また、本発明において、バーナを熱源とする暖房運転の実行時は、熱媒循環回路に介設した熱媒循環ポンプの作動により熱交換器と暖房端末との間で液々熱交換器を経由せずに熱媒体を循環させ、ヒートポンプユニットを熱源とする暖房運転の実行時は、熱媒循環ポンプの作動により液々熱交換器と暖房端末との間で熱媒体を循環させることが望ましい。これによれば、バーナを熱源とする暖房運転時は熱媒体が液々熱交換器に流れないため、液々熱交換器における熱媒体の放熱ロスを生じず、熱効率が向上する。
【００１１】
この場合、熱媒循環回路に、熱交換器を経由せずに熱媒体を流すことが可能な熱媒バイパス路を設け、ヒートポンプユニットを熱源とする暖房運転の実行時は、液々熱交換器と暖房端末との間で熱媒バイパス路を介して熱媒体を循環させることが望ましい。これによれば、ヒートポンプユニットを熱源とする暖房運転の実行時は熱媒体が熱交換器に流れないため、熱交換器における熱媒体の放熱ロスを生じず、熱効率が更に向上する。
【００１２】
ところで、ヒートポンプユニットを熱源とする暖房運転の実行時は、暖房能力を高めるため、ヒートポンプユニットを熱源とするタンク水加熱運転の実行時よりも放熱器によるタンク水の加熱温度を高くすることが望まれる。然し、タンク水加熱回路の下流端が貯湯タンクの頂部に接続されたままでは、放熱器によるタンク水の加熱温度を高くすると、貯湯タンクの頂部に貯まる温水の温度が高くなりすぎて、給湯運転時に高温水が出湯される可能性がある。
【００１３】
そこで、本発明においては、タンク水加熱回路の下流端を貯湯タンクの頂部と給湯路の液々熱交換器より上流側の部分とに選択的に接続可能とし、ヒートポンプユニットを熱源とする暖房運転の実行時は、タンク水加熱回路の下流端を給湯路の液々熱交換器より上流側の部分に接続することが望ましい。これによれば、ヒートポンプユニットを熱源とする暖房運転の実行時に、ヒートポンプユニットを熱源とするタンク水加熱運転の実行時よりも放熱器によるタンク水の加熱温度を高くしても、貯湯タンクの頂部に貯まる温水の温度は高くならず、給湯運転時の安全性を損なうことはない。
【００１４】
また、本発明においては、ヒートポンプユニットの除霜運転を実行可能とし、除霜運転の実行時は、バーナにより熱交換器で熱媒体を加熱しつつ、熱交換器と液々熱交換器との間で熱媒循環回路を介して熱媒体を循環させると共に、液々熱交換器でタンク水を加熱しつつ、液々熱交換器とヒートポンプユニットの放熱器との間でタンク水を液々熱交換器が介設された給湯路の上流側部分とバイパス路と給水路とタンク水加熱回路とを介して循環させることが望ましい。これによれば、液々熱交換器で加熱されたタンク水とヒートポンプユニットに流れる冷媒との放熱器における熱交換で冷媒が加熱され、ヒートポンプユニットの蒸発器に付着した霜が除去される。
【００１５】
この場合、除霜運転の実行時に、熱媒体の一部を暖房端末に流して、暖房運転を併行して実行可能とすれば、除霜運転中も暖房運転を行うことができ、利便性が向上する。
【図面の簡単な説明】
【００１６】
【図１】本発明の第１実施形態のハイブリッド式給湯暖房システムの構成を示す説明図。
【図２】（ａ）〜（ｆ）第１実施形態のハイブリッド式給湯暖房システムの各運転時の状態を示す説明図。
【図３】（ａ）本発明の第２実施形態のハイブリッド式給湯暖房システムの構成を示す説明図、（ｂ）第２実施形態のハイブリッド式給湯暖房システムのヒートポンプユニットを熱源とする暖房運転時の状態を示す説明図。
【発明を実施するための形態】
【００１７】
図１を参照して、本発明の実施形態のハイブリッド式給湯暖房システムは、貯湯タンク１と、ヒートポンプユニット２と、貯湯タンク１内の水（タンク水）をヒートポンプユニット２により加熱するタンク水加熱回路３と、貯湯タンク１の底部に水を供給可能な給水路４と、貯湯タンク１の頂部から給湯栓等の給湯端末５１に温水を供給する給湯路５と、給湯路５に介設された液々熱交換器６と、バーナ７１で加熱される熱交換器７と、熱交換器７と液々熱交換器６との間で熱媒体（水や不凍液等）を循環可能な熱媒循環回路８と、熱媒循環回路８に接続可能な暖房端末９とを備えている。尚、バーナ７１及び熱交換器７は熱源機Ａに内蔵されており、この熱源機Ａには、液々熱交換器６と熱媒循環回路８も内蔵されている。
【００１８】
ヒートポンプユニット２は、冷媒を蒸発器２１から圧縮器２２と放熱器２３と膨張弁２４とを介して蒸発器２１に戻す閉回路で構成される公知のものである。蒸発器２１にはファン２１ａが付設されており、冷媒がファン２１ａにより送風される大気の熱を吸熱して蒸発する。蒸発した冷媒は、圧縮器２２で圧縮されて高温高圧になり、放熱器２３で放熱した後、膨張弁２４で減圧されて蒸発器２１に戻される。尚、寒冷地では、蒸発器２１の表面に大気中の水蒸気が凍結して発生する霜が付着する。そのため、時折、蒸発器２１に付着した霜を除去する除霜運転を行うことが必要になる。除霜運転に際しては、ファン２１ａを停止し、圧縮器２２を冷媒を圧縮しないポンプとして駆動し、膨張弁２４を冷媒を膨張させない全開状態にし、冷媒を後記詳述する如く放熱器２３で加熱する。
【００１９】
タンク水加熱回路３は、貯湯タンク１の底部から頂部にヒートポンプユニット２の放熱器２３を介してタンク水を循環させる回路である。タンク水加熱回路３には、放熱器２３と直列にタンク水循環ポンプ３１が介設されている。また、タンク水加熱回路３の上流端と給水路４の下流端は、共通の三方弁Ｖ１を介して貯湯タンク１の底部に接続されている。三方弁Ｖ１は、タンク水加熱回路３の上流端のみを貯湯タンク１の底部に接続する状態と、給水路４の下流端のみを貯湯タンク１の底部に接続する状態と、タンク水加熱回路３の上流端と給水路４の下流端とを接続する状態とに切換え自在である。尚、タンク水加熱回路３の上流端と給水路４の下流端とを接続する状態では、貯湯タンク１の底部に対するタンク水加熱回路３の上流端及び給水路４の下流端の接続が断たれる。
【００２０】
熱媒循環回路８は、熱交換器７で加熱された熱媒体を液々熱交換器６に送る往路８１と、液々熱交換器６を通過した熱媒体を熱交換器７に戻す復路８２とを有している。復路８２には、熱媒循環ポンプ８３が介設されている。往路８１の途中には、暖房端末９に熱媒体を送る暖房往路９１が三方弁Ｖ２を介して接続されている。尚、暖房往路９１には、シスターン９３が接続されている。三方弁Ｖ２は、当該三方弁Ｖ２より上流側の往路部分８１ａと下流側の往路部分８１ｂとを接続すると共に、往路８１に対する暖房往路９１の接続を断つ状態と、上流側の往路部分８１ａと下流側の往路部分８１ｂとの接続を断って、上流側の往路部分８１ａと暖房往路９１とを接続する状態とに切換え自在である。
【００２１】
また、熱媒循環回路８の復路８２の熱媒循環ポンプ８３より上流側の部分には、暖房往路９１から分岐した分岐路９１ａが三方弁Ｖ３を介して接続され、更に、三方弁Ｖ３と熱媒循環ポンプ８３との間の復路部分８２ｂに暖房端末９を通過した熱媒体が流れる暖房復路９２の下流端が接続されている。三方弁Ｖ３は、当該三方弁Ｖ３より上流側の復路部分８２ａと三方弁Ｖ３と熱媒循環ポンプ８３との間の復路部分８２ｂとを接続すると共に、復路８２に対する分岐路９１ａの接続を断つ状態と、三方弁Ｖ３より上流側の復路部分８２ａと三方弁Ｖ３と熱媒循環ポンプ８３との間の復路部分８２ｂとの接続を断って、上流側の復路部分８２ａと分岐路９１ａとを接続する状態とに切換え自在である。
【００２２】
また、本実施形態では、給水路４と液々熱交換器６の下流側の給湯路５の部分とを接続可能なバイパス路４１を設けている。バイパス路４１は、三方弁Ｖ４を介して給水路４に接続される。三方弁Ｖ４は、当該三方弁Ｖ４より上流側の給水路部分４ａと下流側の給水路部分４ｂとバイパス路４１との３者を接続する状態と、下流側の給水路部分４ｂとバイパス路４１とを接続するがこれらに対する上流側の給水路部分４ａの接続を断つ状態とに切換え自在である。また、バイパス路４１は、液々熱交換器６の下流側の給湯路５の部分に給湯温度調節用の湯水混合弁Ｖ５を介して接続されている。
【００２３】
本実施形態のハイブリッド式給湯暖房システムは、ヒートポンプユニット２を熱源とするタンク水加熱運転と、タンク利用の給湯運転と、バーナ７１を補助熱源とする給湯運転と、バーナ７１を熱源とする暖房運転と、ヒートポンプユニット２を熱源とする暖房運転とを実行可能である。
【００２４】
ヒートポンプユニット２を熱源とするタンク水加熱運転の実行時には、図２（ａ）に示す如く、三方弁Ｖ１がタンク水加熱回路３の上流端のみを貯湯タンク１の底部に接続する状態に切換えられる。そして、ヒートポンプユニット２の放熱器２３でタンク水を加熱しつつ、タンク水循環ポンプ３１の作動により貯湯タンク１の底部から頂部にタンク水加熱回路３を介してタンク水を循環させる。尚、この場合、他の三方弁Ｖ２〜Ｖ４はどのような状態であってもよい。
【００２５】
タンク利用の給湯運転の実行時には、図２（ｂ）に示す如く、三方弁Ｖ１が給水路４の下流端のみを貯湯タンク１の底部に接続する状態に、三方弁Ｖ４が上流側の給水路部分４ａと下流側の給水路部分４ｂとバイパス路４１との３者を接続する状態に夫々切換えられる。そして、貯湯タンク１の底部への給水圧で貯湯タンク１の頂部から送り出される温水を給湯路５を介して給湯端末５１に供給する。尚、この場合、他の三方弁Ｖ２，Ｖ３はどのような状態であってもよい。
【００２６】
バーナ７１を補助熱源とする給湯運転の実行時には、図２（ｃ）に示す如く、三方弁Ｖ１，Ｖ４がタンク利用の給湯運転と同様の状態に、三方弁Ｖ２が当該三方弁Ｖ２より上流側の往路部分８１ａと下流側の往路部分８１ｂとを接続すると共に、往路８１に対する暖房往路９１の接続を断つ状態に、三方弁Ｖ３が当該三方弁Ｖ３より上流側の復路部分８２ａと三方弁Ｖ３と熱媒循環ポンプ８３との間の復路部分８２ｂとを接続すると共に、復路８２に対する分岐路９１ａの接続を断つ状態に夫々切換えられる。そして、バーナ７１により熱交換器７で熱媒体を加熱しつつ、熱媒循環ポンプ８３の作動により熱交換器７と液々熱交換器６との間で熱媒循環回路８を介して熱媒体を循環させ、貯湯タンク１の底部への給水圧で貯湯タンク１の頂部から送り出される温水を液々熱交換器６で熱媒体により加熱した状態で給湯路５を介して給湯端末５１に供給する。
【００２７】
バーナ７１を熱源とする暖房運転の実行時には、図２（ｄ）に示す如く、三方弁Ｖ２が当該三方弁Ｖ２の上流側の往路部分８１ａと下流側の往路部分８１ｂとの接続を断って、上流側の往路部分８１ａと暖房往路９１とを接続する状態に、三方弁Ｖ３が当該三方弁Ｖ３より上流側の復路部分８２ａと三方弁Ｖ３と熱媒循環ポンプ８３との間の復路部分８２ｂとを接続すると共に、復路８２に対する分岐路９１ａの接続を断つ状態に夫々切換えられる。そして、バーナ７１により熱交換器７で熱媒体を加熱しつつ、熱媒循環ポンプ８３の作動により熱交換器７と暖房端末９との間で熱媒体を循環させる。熱媒体の循環経路は、熱交換器７−三方弁Ｖ２より上流側の往路部分８１ａ−三方弁Ｖ２−暖房往路９１−暖房端末９−暖房復路９２−三方弁Ｖ３と熱媒循環ポンプ８３との間の復路部分８２ｂ−熱媒循環ポンプ８３−熱媒循環ポンプ８３より下流側の復路部分８２ｃ−熱交換器７となる。尚、この場合、他の三方弁Ｖ１，Ｖ４はどのような状態であってもよい。
【００２８】
ヒートポンプユニット２を熱源とする暖房運転の実行時には、図２（ｅ）に示す如く、三方弁Ｖ１がタンク水加熱回路３の上流端と給水路４の下流端とを接続する状態に、三方弁Ｖ４が当該三方弁Ｖ４より下流側の給水路部分４ｂとバイパス路４１とを接続すると共に、下流側の給水路部分４ｂ及びバイパス路４１に対する上流側の給水路部分４ａの接続を断つ状態に、三方弁Ｖ２が当該三方弁Ｖ２より上流側の往路部分８１ａと下流側の往路部分８１ｂとを接続すると共に、往路８１に対する暖房往路９１の接続を断つ状態に、三方弁Ｖ３が当該三方弁Ｖ３より上流側の復路部分８２ａと三方弁Ｖ３と熱媒循環ポンプ８３との間の復路部分８２ｂとの接続を断って、上流側の復路部分８２ａと分岐路９１ａとを接続する状態に切換えられる。そして、タンク水循環ポンプ３１の作動により液々熱交換器６とヒートポンプユニット２の放熱器２３との間でタンク水を循環させ、放熱器２３でタンク水を加熱すると共に液々熱交換器６でタンク水により熱媒体を加熱しつつ、熱媒循環ポンプ８３の作動により液々熱交換器６と暖房端末９との間で熱媒体を循環させる。ここで、タンク水の循環経路は、液々熱交換器６が介設された給湯路５の上流側部分−湯水混合弁Ｖ５−バイパス路４１−三方弁Ｖ４−三方弁Ｖ４より下流側の給水路部分４ｂ−三方弁Ｖ１−タンク水加熱回路３−貯湯タンク１の頂部−給湯路５の上流側部分となり、熱媒体の循環経路は、液々熱交換器６−三方弁Ｖ３より上流側の復路部分８２ａ−三方弁Ｖ３−分岐路９１ａ−暖房往路９１−暖房端末９−暖房復路９２−三方弁Ｖ３と熱媒循環ポンプ８３との間の復路部分８２ｂ−熱媒循環ポンプ８３−熱媒循環ポンプ８３より下流側の復路部分８２ｃ−熱交換器７−三方弁Ｖ２より上流側の往路部分８１ａ−三方弁Ｖ２−三方弁Ｖ２より下流側の往路部分８１ｂ−液々熱交換器６となる。
【００２９】
本実施形態によれば、バーナ７１で加熱される単一の熱交換器７を暖房用と給湯用の両者に兼用できる。しかも、ヒートポンプユニット２の放熱器２３で加熱されたタンク水により給湯路５に介設された液々熱交換器６で熱媒体を加熱することにより、ヒートポンプユニット２を熱源とする暖房運転を実行することができる。従って、ヒートポンプユニット２を熱源とする暖房運転を実行するために、ヒートポンプユニット２の放熱器２３に熱媒加熱部を付設する必要がなく、バーナ７１で加熱される単一の熱交換器７を暖房用と給湯用の両者に兼用できることと相俟って、ハイブリッド式給湯暖房システムのコストダウンを図ることができる。
【００３０】
ところで、バーナ７１を熱源とする暖房運転の実行時に、三方弁Ｖ２，Ｖ３をヒートポンプユニット２を熱源とする暖房運転の実行時と同様の状態に切換え、熱媒循環ポンプ８３の作動により熱交換器７と暖房端末９との間で液々熱交換器６を経由して熱媒体を循環させることも可能である。然し、バーナ７１を熱源とする暖房運転の実行時は、上記実施形態の如く、熱媒循環ポンプ８３の作動により熱交換器７と暖房端末９との間で液々熱交換器６を経由せずに熱媒体を循環させるようにすることが望ましい。これによれば、液々熱交換器６における熱媒体の放熱ロスを生じず、熱効率が向上する。
【００３１】
また、本実施形態では、ヒートポンプユニット２の除霜運転を実行可能としている。除霜運転の実行時には、図２（ｆ）に示す如く、三方弁Ｖ１，Ｖ４がヒートポンプユニット２を熱源とする暖房運転の実行時と同様に状態に切換えられ、三方弁Ｖ２，Ｖ３がバーナ７１を補助熱源とする給湯運転の実行時と同様の状態に夫々切換えられる。そして、バーナ７１により熱交換器７で熱媒体を加熱しつつ、熱媒循環ポンプ８３の作動により熱交換器７と液々熱交換器６との間で熱媒循環回路８を介して熱媒体を循環させると共に、液々熱交換器６でタンク水を加熱しつつ、タンク水循環ポンプ３１の作動により液々熱交換器６とヒートポンプユニット２の放熱器２３との間でタンク水を液々熱交換器６が介設された給湯路５の上流側部分とバイパス路４１と給水路４とタンク水加熱回路３とを介して循環させる。これより、ヒートポンプユニット２に循環する冷媒が放熱器２３でタンク水により加熱され、蒸発器２１に付着した霜が除去される。
【００３２】
尚、除霜運転の実行時に、三方弁Ｖ２から熱媒体の一部を暖房往路９１を介して暖房端末９に流し、暖房運転を併行して実行することも可能である。これによれば、除霜運転中も暖房運転を行うことができ、利便性が向上する。
【００３３】
次に、図３に示す第２実施形態について説明する。第２実施形態の構造は上記第１実施形態のものと以下の２つの相違点を除いて異ならず、第１実施形態と同様の部材、部位に上記と同一の符号を付している。第２実施形態の第１実施形態との第１の相違点は、熱媒循環回路８に、熱交換器７を経由せずに熱媒体を流すことが可能な熱媒バイパス路８４を設けたことである。具体的には、三方弁Ｖ２より上流側の往路部分８１ａに熱媒バイパス路８４の一端を接続し、熱媒バイパス路８４の他端を三方弁Ｖ６を介して熱媒循環ポンプ８３の下流側の復路部分８２ｃに接続している。三方弁Ｖ６は、熱媒循環ポンプ８３の下流側の復路部分８２ｃを熱交換器７と熱媒バイパス路８４とに選択的に接続する。また、第２実施形態の第１実施形態との第２の相違点は、タンク水加熱回路３の下流端を三方弁Ｖ７を介して貯湯タンク１の頂部と給湯路５の液々熱交換器６より上流側の部分とに選択的に接続可能としたことである。
【００３４】
第２実施形態では、ヒートポンプユニット２を熱源とする暖房運転の実行時に、図３（ｂ）に示す如く、三方弁Ｖ１〜Ｖ４が第１実施形態と同様の状態に切換えられ、三方弁Ｖ６が熱媒循環ポンプ８３の下流側の復路部分８２ｃを熱媒バイパス路８４に接続する状態に切換えられ、三方弁Ｖ７がタンク水加熱回路３の下流端を給湯路５の液々熱交換器６より上流側の部分に接続する状態に切換えられる。そのため、液々熱交換器６と暖房端末９との間で熱媒バイパス路８４を介して熱媒体が熱交換器７を経由せずに循環することになる。従って、熱交換器７における熱媒体の放熱ロスを生じず、熱効率が更に向上する。
【００３５】
また、放熱器２３で加熱されたタンク水が貯湯タンク１の頂部を経由せずに液々熱交換器６に供給されることになる。従って、ヒートポンプユニット２を熱源とする暖房運転の実行時に、暖房能力を高めるために、ヒートポンプユニット２を熱源とするタンク水加熱運転の実行時よりも放熱器２３によるタンク水の加熱温度を高くしても、貯湯タンク１の頂部に貯まる温水の温度は高くならず、給湯運転時の安全性を損なうことはない。
【００３６】
以上、本発明の実施形態について図面を参照して説明したが、本発明はこれに限定されるものではなく、本発明の趣旨を逸脱しない範囲で種々変更して実施することができる。
【符号の説明】
【００３７】
１…貯湯タンク、２…ヒートポンプユニット、２３…放熱器、３…タンク水加熱回路、４…給水路、４１…バイパス路、５…給湯路、５１…給湯端末、６…液々熱交換器、７…熱交換器、７１…バーナ、８…熱媒循環回路、８３…熱媒循環ポンプ、９…暖房端末。
【図１】
2020180712.tif 000003
【図２】
2020180712.tif 000004
【図３】
2020180712.tif 000005